(57)【要約】【課題】従来にないメダル投入方式で、射出タイミングや射出量も自由に調整でき、しかも、誰もが操作しやすいメダル射出器を提供する。【解決手段】メダル射出器１０は、メダルゲーム機のプレイフィールドにメダルＭを射出するためのものであって、投入用のメダルＭをストックする投入メダル貯留部１２及びメダルＭを鉛直状態にして受け入れるメダル投入スリット１３を有するメダル受け入れ部１１と、メダルＭを鉛直状態に保持して転動させるメダル通路１５及び射出用のメダルＭをストックしておくための射出メダル貯留通路１６を有するメダルガイド１４と、回転によってメダルＭをプレイフィールド側に運ぶメダル射出プレート１８及びメダル射出プレート１８を回転させるメダル射出ハンドル１９を有するメダル射出部１７と、メダルゲーム機の筐体の正面のプレイフィールドに向けて、所定の角度範囲内で揺動自在な軸支ロッド２２などとを備える。【選択図】図１
2006116214.tif 000002
【特許請求の範囲】
【請求項１】
メダルゲーム機のプレイフィールドにメダルを射出するためのメダル射出器であって、
前記メダルを投入する投入口と、
前記投入口からのメダルを前記プレイフィールドに誘導するメダル通路と、
前記メダル通路のいずれかの部分に設けられ、回転によって前記メダルを前記プレイフィールド側に運んで射出するメダル射出部と、
を備えるメダル射出器。
【請求項２】
請求項１に記載のメダル射出器において、
前記メダル射出部は、
前記メダルを運ぶ回転部材と、
前記回転部材を回転させる回転力入力部とを備えること、
を特徴とするメダル射出器。
【請求項３】
請求項１に記載のメダル射出器において、
前記メダル通路は、複数のメダルをストックするメダル貯留通路を備えること、
を特徴とするメダル射出器。
【請求項４】
請求項２に記載のメダル射出器において、
前記回転部材は、円形状であること、
を特徴とするメダル射出器。
【請求項５】
請求項２又は請求項４に記載のメダル射出器において、
前記回転部材は、前記メダルの少なくとも一部を進入させることができるように切り欠かれた少なくとも１つのメダルセット部を備えること、
を特徴とするメダル射出器。
【請求項６】
請求項５に記載のメダル射出器において、
前記メダルセット部は、前記メダルの進入開始時を早める早期進入手段を備えること、
を特徴とするメダル射出器。
【請求項７】
請求項５に記載のメダル射出器において、
前記メダルセット部は、前記メダルの進入を容易にする易進入手段を備えること、
を特徴とするメダル射出器。
【請求項８】
請求項５に記載のメダル射出器において、
前記メダルセット部は、前記メダルの射出を容易にする易射出手段を備えること、
を特徴とするメダル射出器。
【請求項９】
請求項５に記載のメダル射出器において、
前記メダルセット部は、前記メダル貯留通路にストックされている先頭のメダルを進入させ、それ以外のメダルを停止させる次メダル停止手段を備えること、
を特徴とするメダル射出器。
【請求項１０】
請求項５に記載のメダル射出器において、
前記回転部材は、前記メダルセット部以外の外縁部を備え、
前記外縁部は、前記メダル貯留通路にストックされている先頭のメダルを進入させ、それ以外のメダルを停止させる次メダル停止手段を備えること、
を特徴とするメダル射出器。
【請求項１１】
請求項５に記載のメダル射出器において、
前記メダルセット部は、進入した前記メダルの進行方向の後方側と密着して、運びを安定させる搬送安定手段を備えること、
を特徴とするメダル射出器。
【請求項１２】
請求項１から請求項１１までのいずれか１項に記載のメダル射出器において、
前記回転部材の上方に設けられ、自らの外縁と前記回転部材の前記メダルセット部以外の外縁との間に、前記メダルを挟み込んで、そのメダルを停止させるストッパー部を備えること、
を特徴とするメダル射出器。
【請求項１３】
請求項１から請求項１２までのいずれか１項に記載のメダル射出器において、
前記投入口は、前記メダルを鉛直状態にして受け入れ、
前記メダル通路は、前記メダルを鉛直状態に保持して転動させること、
を特徴とするメダル射出器。
【発明の詳細な説明】
【技術分野】
【０００１】
本発明は、メダルを投入することでゲームが進行するメダルゲーム機に用いるメダル射出器に関するものである。
【背景技術】
【０００２】
現在、この種のメダル射出器は、メダルのエントリー部にメダルを整列させ、投入口への投入動作及びタイミングのみでゲームフィールドに投入する方式が主である。
【０００３】
しかし、この方式は、従来から存在している投入動作であり、単調かつ連続投入がしにくいという問題点があった。
最近は、一度に連続投入が要求されるメダルゲーム機も登場しており、特に、子供が遊戯する場合などには、複数枚のメダルを短時間に投入することが困難となる場合があった。
【０００４】
この問題を解決するために、メダルを複数枚保持可能なメダルホルダーを投入部に設け、複数枚のメダルを連続投入しやすくしたプッシャーゲーム機が開示されている（例えば、特許文献１）。
【０００５】
しかし、特許文献１のプッシャーゲーム機は、メダルを１枚投入すると、１枚転がり落ちる点では、従来のものと変わらず、また、連続投入できるものの、メダルの射出タイミングや射出量を調整することが難しかった。
【特許文献１】特開２００４−８５０３号公報
【発明の開示】
【発明が解決しようとする課題】
【０００６】
本発明の課題は、従来にないメダル投入方式で、射出タイミングや射出量も自由に調整でき、しかも、誰もが操作しやすいメダル射出器を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、メダルゲーム機のプレイフィールドにメダル（Ｍ）を射出するためのメダル射出器であって、前記メダル（Ｍ）を投入する投入口（１３）と、前記投入口（１３）からのメダル（Ｍ）を前記プレイフィールドに誘導するメダル通路（１５）と、前記メダル通路（１５）のいずれかの部分に設けられ、回転によって前記メダル（Ｍ）を前記プレイフィールド側に運んで射出するメダル射出部（１７）と、を備えるメダル射出器である。
請求項２の発明は、請求項１に記載のメダル射出器において、前記メダル射出部（１７）は、前記メダル（Ｍ）を運ぶ回転部材（１８）と、前記回転部材（１８）を回転させる回転力入力部（１９）とを備えること、を特徴とするメダル射出器である。
請求項３の発明は、請求項１に記載のメダル射出器において、前記メダル通路（１５）は、複数のメダル（Ｍ）をストックするメダル貯留通路（１６）を備えること、を特徴とするメダル射出器である。
請求項４の発明は、請求項２に記載のメダル射出器において、前記回転部材（１８）は、円形状であること、を特徴とするメダル射出器である。
請求項５の発明は、請求項２又は請求項４に記載のメダル射出器において、前記回転部材（１８）は、前記メダル（Ｍ）の少なくとも一部を進入させることができるように切り欠かれた少なくとも１つのメダルセット部（２０）を備えること、を特徴とするメダル射出器である。
請求項６の発明は、請求項５に記載のメダル射出器において、前記メダルセット部（２０）は、前記メダル（Ｍ）の進入開始時を早める早期進入手段を備えること、を特徴とするメダル射出器である。
請求項７の発明は、請求項５に記載のメダル射出器において、前記メダルセット部（２０）は、前記メダル（Ｍ）の進入を容易にする易進入手段を備えること、を特徴とするメダル射出器である。
請求項８の発明は、請求項５に記載のメダル射出器において、前記メダルセット部（２０）は、前記メダル（Ｍ）の射出を容易にする易射出手段を備えること、を特徴とするメダル射出器である。
請求項９の発明は、請求項５に記載のメダル射出器において、前記メダルセット部（２０）は、前記メダル貯留通路（１６）にストックされている先頭のメダル（Ｍ）を進入させ、それ以外のメダル（Ｍ）を停止させる次メダル停止手段を備えること、を特徴とするメダル射出器である。
請求項１０の発明は、請求項５に記載のメダル射出器において、前記回転部材（１８）は、前記メダルセット部（２０）以外の部分となる外縁部（１８Ｄ）を備え、前記外縁部（１８Ｄ）は、前記メダル貯留通路（１６）にストックされている先頭のメダル（Ｍ）を進入させ、それ以外のメダル（Ｍ）を停止させる次メダル停止手段を備えること、を特徴とするメダル射出器である。
請求項１１の発明は、請求項５に記載のメダル射出器において、前記メダルセット部（２０）は、進入した前記メダル（Ｍ）の進行方向の後方側と密着して、運びを安定させる搬送安定手段を備えること、を特徴とするメダル射出器である。
請求項１２の発明は、請求項１から請求項１１までのいずれか１項に記載のメダル射出器において、前記回転部材（１８）の上方に設けられ、自らの外縁と前記回転部材（１８）の前記メダルセット部（２０）以外の外縁との間に、前記メダル（Ｍ）を挟み込んで、そのメダル（Ｍ）を停止させるストッパー部（２１）を備えること、を特徴とするメダル射出器である。
請求項１３の発明は、請求項１から請求項１２までのいずれか１項に記載のメダル射出器において、前記投入口（１３）は、前記メダル（Ｍ）を鉛直状態にして受け入れ、前記メダル通路（１５）は、前記メダル（Ｍ）を鉛直状態に保持して転動させること、を特徴とするメダル射出器である。
【発明の効果】
【０００８】
本発明によれば、以下のような効果がある。
（１）メダル射出部が、回転によってメダルを射出するので、従来にないメダル投入方式であり、メダル射出行為そのものが遊戯行為となる。
（２）回転によってメダルを射出する方式であるため、射出タイミングや射出量をコントロールすることが容易であり、操作性に優れる。
【０００９】
（３）動力を用いず手動により射出操作を行うため、メダル射出感を損なわない。
（４）誰もが容易にメダルを連続投入でき、かつ、プレイヤーの投入ペースに応じた連続投入ができる。
【発明を実施するための最良の形態】
【００１０】
本発明は、従来にないメダル投入方式で、射出タイミングや射出量も自由に調整でき、しかも、誰もが操作しやすいメダル射出器を提供するという目的を、メダル通路の途中にメダル射出部を設け、そのメダル射出部のメダル射出ハンドルを回転させることによってメダルを射出することにより実現する。
【実施例】
【００１１】
以下、図面等を参照して、本発明の実施例について、さらに詳しく説明する。
図１は、本発明によるメダル射出器の実施例を示す斜視図であり、図２は、メダル射出ハンドル及び片側のメダルガイドを外した状態を背面から見た斜視図であり、図３は、メダル射出プレートを示す図である。
本実施例によるメダル射出器１０は、プッシャー機などのメダルゲーム機のプレイフィールドにメダルＭを射出するためのものであって、図１及び図２に示すように、メダル受け入れ部１１と、メダルガイド１４と、メダル射出部１７と、ストッパー部２１と、軸支ロッド２２などとを備える。
【００１２】
メダル受け入れ部１１は、投入用のメダルＭをストックしておくための皿形状の投入メダル貯留部１２と、メダルＭを鉛直状態にして受け入れるメダル投入スリット（投入口）１３とを備える。
【００１３】
メダルガイド１４は、メダル投入スリット１３からのメダルＭをプレイフィールドに誘導し、その先端ＴからメダルＭを放出するものであり、２枚の板の間に設けられ、メダルＭを鉛直状態に保持して転動させるメダル通路１５を備える。
また、メダル通路１５は、複数の射出用のメダルＭをストックしておくための射出メダル貯留通路（メダル貯留通路）１６を備える。
【００１４】
メダル射出部１７は、射出メダル貯留通路１６の下流に設けられ、メダルＭの射出操作を行う部分であり、メダル射出部１７の内部に設けられたメダル射出プレート（回転部材）１８と、メダル射出ハンドル（回転力入力部）１９とを備える。
【００１５】
メダル射出プレート１８は、図２に示すように、回転によってメダルＭをプレイフィールド側に運び、実際にメダルＭを射出するための動作部となる円形状のプレートであり、メダル射出プレート１８の外縁の一部であって、メダルＭのほぼ半分を進入させることができるように切り欠かれた２つのメダルセット部２０と、メダルセット部２０以外の外縁部１８Ｄとを備え、その外縁部１８Ｄは、次メダル停止手段となっている（詳細は後述）。
【００１６】
メダル射出ハンドル１９は、図１に示すように、内部のメダル射出プレート１８を回転させてメダルＭを射出させるための作動部となる部分であり、プレイヤーがつかむ把手部１９ａと、メダル射出プレート１８を覆うカバー部１９ｂとを備える。
【００１７】
メダル射出プレート１８及びメダルセット部２０の具体的な寸法は、図３に示すように、メダル射出プレート１８の直径φＰ＝８０ｍｍ、メダルセット部２０の直径φＭ＝２６ｍｍである。
メダルセット部２０の直径φＭは、使用するメダルＭの直径に合わせてあるが、実際には、２，３ｍｍ程度直径を長くして、余裕を持たせている。
【００１８】
また、メダルセット部２０は、その一部に、メダルセット部２０の回転方向の前方の角部２０Ｆと、メダルセット部２０の回転方向の後方の角部２０Ｂとを備え、前方の角部２０Ｆは、半径Ｒ＝５ｍｍの円弧状であり、この部分は、早期進入手段、易進入手段及び易射出手段となっている（詳細は後述）。
一方、後方の角部２０Ｂは、メダルＭの外縁と当接する形状であり、次メダル停止手段及び搬送安定手段となっている（詳細は後述）。
【００１９】
ストッパー部２１は、図２に示すように、メダル射出プレート１８の上方に設けられ、自らの外縁とメダル射出プレート１８のメダルセット部２０以外の外縁との間に、メダルＭを挟み込んで、そのメダルＭを停止させるものである。
【００２０】
軸支ロッド２２は、図１に示すように、メダル射出部１７の下流に設けられ、メダルゲーム機の筐体の正面のプレイフィールドに向けて、所定の角度範囲内で揺動自在な軸であり、メダルガイド１４の先端Ｔは、軸支ロッド２２を中心に所定の角度範囲内で回動可能であり、プレイフィールドの所望の位置にメダルＭを射出することができる。
【００２１】
そして、このメダル射出器１０は、メダルゲーム機の筐体正面に取り付けられ、メダル受け入れ部１１がプレイヤー側となる手前側、メダルガイド１４の先端Ｔがメダルゲーム機のプレイフィールド側に向くように設置される。
【００２２】
次に、図２及び図４を参照しながら、本実施例によるメダル射出器１０の動作について説明する。
図４は、本実施例によるメダル射出器の動作を示す図である。
まず、図２に示すように、プレイヤーによって、メダルＭがメダル投入スリット１３に投入されると、メダルＭは、射出メダル貯留通路１６に送られ、メダル射出プレート１８に当たり、一旦停止する。
そして、プレイヤーは、この動作を何回か繰り返し、図４（Ａ）に示すように、複数のメダルＭを射出メダル貯留通路１６にストックする。
【００２３】
この状態で、プレイヤーがメダル射出ハンドル１９を反時計回りに回転させると、メダル射出ハンドル１９とともにメダル射出プレート１８が回転し、図４（Ｂ）に示すように、メダルセット部２０にメダルＭが進入し始める。
ここで、メダルセット部２０の回転方向の前方の角部２０Ｆは、上述したように、円弧状であるので、メダルセット部２０が正規の円の形状である場合よりも、その部分のメダル射出プレート１８の半径が短くなっている。これにより、メダルＭの進入開始時が早まり、また、メダルセット部２０へのメダルＭの進入を許容する角度も広がり、十分な余裕をもって、メダルＭが進入できる（早期進入手段）。
また、メダルＭの進入時には、緩やかな丸みを帯びた前方の角部２０Ｆに沿って、メダルＭが滑らかに移動するので、進入も容易となる（易進入手段）。
【００２４】
さらに、図４（Ｃ）に示すように、メダル射出プレート１８を反時計回りに回転させる。
このとき、メダルセット部２０の回転方向の後方の角部２０Ｂは、上述したように、メダルＭの外縁と当接する形状であるので、メダルＭの進入後には、メダルＭとともにメダルセット部２０を塞ぎ、射出メダル貯留通路１６にストックされている先頭のメダルＭだけをメダルセット部２０に進入させ、それ以外のメダルＭを停止させる（メダルセット部２０の次メダル停止手段）。
一方、回転部材１８は、回転中には、外縁部１８Ｄに次のメダルＭを接触させることによって、次のメダルＭをその場に停止させ、進入したメダルＭと停止しているメダルＭとを接触させないようにしている（回転部材１８の次メダル停止手段）。
また、後方の角部２０Ｂは、メダルＭを運んでいるときには、メダルＭの進行方向の後方側の側面と密着することによって、十分な接触面積を確保し、進入したメダルＭの運びを安定させている（搬送安定手段）。
【００２５】
一方、ストッパー部２１は、メダル射出プレート１８が回転している間には、メダル射出プレート１８との間に次のメダルＭを挟み込んで、そのメダルＭを停止させ、また、次のメダルＭがメダル射出プレート１８の回転につられて浮き上がることも防止している。
【００２６】
そして、上述した各手段やストッパー部２１によって、メダルＭの流れがスムーズになり、メダルＭの詰まりを防止している。
【００２７】
最後に、図４（Ｄ）に示すように、メダル通路１５の前方にメダルＭを送り出すことで、メダルＭは、プレイフィールドに射出され、これらの動作を繰り返すことによって、プレイフィールドにメダルＭを連続投入することができる。
メダルＭの射出時には、緩やかな丸みを帯びた前方の角部２０Ｆに沿って、メダルＭが滑らかに移動するので、射出も容易となる（易射出手段）。
【００２８】
このように、本実施例によれば、メダル射出ハンドル１９を回転させるといった簡単な動作によってメダルＭを射出することができるので、従来にないメダル投入方式で、メダル射出行為そのものが遊戯行為となり、射出タイミングや射出量も容易にコントロールでき、老若男女問わず操作しやすい。
【００２９】
また、動力を用いず手動により射出操作を行うため、メダル射出感を損なわず、誰でも容易にメダルＭを連続投入でき、かつ、プレイヤーの投入ペースやゲーム内容に応じた連続投入ができる。
【００３０】
（変形例）
以上説明した実施例に限定されることなく、種々の変形や変更が可能であって、それらも本発明の均等の範囲内である。
（１）メダル射出プレート１８は、円形状の例で説明したが、例えば、星型や楕円形状であってもよい。
（２）メダル射出プレート１８は、メダル形状に切り欠かれたメダルセット部２０を備える例で説明したが、メダルＭを運ぶことができるのであれば、さらに深い穴や、突起などの凸形状のメダルセット部であってもよい。
【００３１】
（３）メダルセット部２０は、２つ設ける例で説明したが、１つでもよく、３つ以上でもよい。
（４）メダルＭは、鉛直状態に保持して転動させる例で説明したが、横に倒した状態で滑り落としてもよい。
（５）回転力入力部は、メダル射出ハンドル１９の例で説明したが、ボール形状のものや、指を挿入して回転させるようなものであってもよい。
【図面の簡単な説明】
【００３２】
【図１】本発明によるメダル射出器の実施例を示す斜視図である。
【図２】メダル射出ハンドル及び片側のメダルガイドを外した状態を背面から見た斜視図である。
【図３】メダル射出プレートを示す図である。
【図４】本実施例によるメダル射出器の動作を示す図である。
【符号の説明】
【００３３】
１０  メダル射出器
１１  メダル受け入れ部
１２  投入メダル貯留部
１３  メダル投入スリット（投入口）
１４  メダルガイド
１５  メダル通路
１６  射出メダル貯留通路（メダル貯留通路）
１７  メダル射出部
１８  メダル射出プレート（回転部材）
１８Ｄ  外縁部
１９  メダル射出ハンドル（回転力入力部）
１９ａ  把手部
１９ｂ  カバー部
２０  メダルセット部
２０Ｆ  前方の角部
２０Ｂ  後方の角部
２１  ストッパー部
２２  軸支ロッド
Ｍ  メダル
Ｔ  先端
【図１】
2006116214.tif 000003
【図２】
2006116214.tif 000004
【図３】
2006116214.tif 000005
【図４】
2006116214.tif 000006